(57)【要約】【課題】受信者側の設定に応じて電子メールとインスタントメッセージとのいずれかをより早く確実に受取ることが可能なメッセージ送受信システムを提供する。【解決手段】データ処理装置１のインスタントメッセージ転送手段１１はＳＩＰサーバ装置４からのインスタントメッセージ各々をユーザが設定した転送条件に基づいてどこに転送させるか判断して転送させる。フィルタ情報保存手段１２はＷｅｂによる入力装置５によって設定されたフィルタ情報を保持する。Ｗｅｂ及びユーザ情報管理手段１３はＷｅｂサーバやユーザ登録並びにログイン機能等を管理する。メッセージ変換装置２のＳＩＰ−Ｍａｉｌ変換手段２１はインスタントメッセージから電子メールへの変換を行い、Ｍａｉｌ−ＳＩＰ変換部手段２２は電子メールからインスタントメッセージへの変換を行う。【選択図】      図１
2004241946.tif 000002
【特許請求の範囲】
【請求項１】
少なくとも電子メールと、相手に対してメッセージをすぐに送信可能なインスタントメッセージとを用いてメッセージの送受信を行うメッセージ送受信システムであって、あるユーザに送られたインスタントメッセージを前記電子メールに変換しかつ当該電子メールを指定したメールアドレスの宛先に送信する第１の変換手段を有することを特徴とするメッセージ送受信システム。
【請求項２】
前記第１の変換手段は、予め設定された前記メッセージの転送条件及び転送先に基づいて前記電子メールへの変換と当該電子メールの送信とを行うことを特徴とする請求項１記載のメッセージ送受信システム。
【請求項３】
あるユーザに送られた電子メールを前記インスタントメッセージに変換しかつ当該インスタントメッセージを指定したインスタントメッセージのアドレスに送信する第２の変換手段を含むことを特徴とする請求項１または請求項２記載のメッセージ送受信システム。
【請求項４】
前記第２の変換手段は、予め設定された前記メッセージの転送条件及び転送先に基づいて前記インスタントメッセージへの変換及び当該インスタントメッセージの送信を行うことを特徴とする請求項３記載のメッセージ送受信システム。
【請求項５】
前記メッセージの転送条件及び転送先を外部から変更自在としたことを特徴とする請求項２または請求項４記載のメッセージ送受信システム。
【請求項６】
前記メッセージの転送条件は、前記インスタントメッセージと併せて使われるサービスにおいて相手の状態を示すプレゼンス情報を含み、前記プレゼンス情報に応じて転送先を変更自在としたことを特徴とする請求項２と請求項４と請求項５とのうちのいずれか記載のメッセージ送受信システム。
【請求項７】
予め設定された転送先のアドレスを保存するフィルタ情報保存手段を含み、前記メッセージの転送アドレスを前記フィルタ情報保存手段に保存されたアドレスに変換することを特徴とする請求項１から請求項６のいずれか記載のメッセージ送受信システム。
【請求項８】
少なくとも電子メールと、相手に対してメッセージをすぐに送信可能なインスタントメッセージとを用いてメッセージの送受信を行うメッセージ送受信システムであって、あるユーザに送られた電子メールを前記インスタントメッセージに変換しかつ当該インスタントメッセージを指定したインスタントメッセージのアドレスに送信する変換手段を有することを特徴とするメッセージ送受信システム。
【請求項９】
前記変換手段は、予め設定された前記メッセージの転送条件及び転送先に基づいて前記インスタントメッセージへの変換及び当該インスタントメッセージの送信を行うことを特徴とする請求項８記載のメッセージ送受信システム。
【請求項１０】
前記メッセージの転送条件及び転送先を外部から変更自在としたことを特徴とする請求項９記載のメッセージ送受信システム。
【請求項１１】
前記メッセージの転送条件は、前記インスタントメッセージと併せて使われるサービスにおいて相手の状態を示すプレゼンス情報を含み、前記プレゼンス情報に応じて転送先を変更自在としたことを特徴とする請求項９または請求項１０記載のメッセージ送受信システム。
【請求項１２】
予め設定された転送先のアドレスを保存するフィルタ情報保存手段を含み、前記メッセージの転送アドレスを前記フィルタ情報保存手段に保存されたアドレスに変換することを特徴とする請求項８から請求項１１のいずれか記載のメッセージ送受信システム。
【請求項１３】
少なくとも電子メールと、相手に対してメッセージをすぐに送信可能なインスタントメッセージとを用いてメッセージの送受信を行うメッセージ送受信システムのメッセージ変換方法であって、あるユーザに送られたインスタントメッセージを前記電子メールに変換しかつ当該電子メールを指定したメールアドレスの宛先に送信する第１のステップを有することを特徴とするメッセージ変換方法。
【請求項１４】
前記第１のステップは、予め設定された前記メッセージの転送条件及び転送先に基づいて前記電子メールへの変換と当該電子メールの送信とを行うことを特徴とする請求項１３記載のメッセージ変換方法。
【請求項１５】
あるユーザに送られた電子メールを前記インスタントメッセージに変換しかつ当該インスタントメッセージを指定したインスタントメッセージのアドレスに送信する第２のステップを含むことを特徴とする請求項１３または請求項１４記載のメッセージ変換方法。
【請求項１６】
前記第２のステップは、予め設定された前記メッセージの転送条件及び転送先に基づいて前記インスタントメッセージへの変換及び当該インスタントメッセージの送信を行うことを特徴とする請求項１５記載のメッセージ変換方法。
【請求項１７】
前記メッセージの転送条件及び転送先を外部から変更自在としたことを特徴とする請求項１４または請求項１６記載のメッセージ変換方法。
【請求項１８】
前記メッセージの転送条件は、前記インスタントメッセージと併せて使われるサービスにおいて相手の状態を示すプレゼンス情報を含み、前記プレゼンス情報に応じて転送先を変更自在としたことを特徴とする請求項１４と請求項１６と請求項１７とのうちのいずれか記載のメッセージ変換方法。
【請求項１９】
前記メッセージの転送アドレスを、予め設定された転送先のアドレスに変換することを特徴とする請求項１３から請求項１８のいずれか記載のメッセージ変換方法。
【請求項２０】
少なくとも電子メールと、相手に対してメッセージをすぐに送信可能なインスタントメッセージとを用いてメッセージの送受信を行うメッセージ送受信システムのメッセージ変換方法であって、あるユーザに送られた電子メールを前記インスタントメッセージに変換しかつ当該インスタントメッセージを指定したインスタントメッセージのアドレスに送信するステップを有することを特徴とするメッセージ変換方法。
【請求項２１】
前記ステップは、予め設定された前記メッセージの転送条件及び転送先に基づいて前記インスタントメッセージへの変換及び当該インスタントメッセージの送信を行うことを特徴とする請求項２０記載のメッセージ変換方法。
【請求項２２】
前記メッセージの転送条件及び転送先を外部から変更自在としたことを特徴とする請求項２１記載のメッセージ変換方法。
【請求項２３】
前記メッセージの転送条件は、前記インスタントメッセージと併せて使われるサービスにおいて相手の状態を示すプレゼンス情報を含み、前記プレゼンス情報に応じて転送先を変更自在としたことを特徴とする請求項２１または請求項２２記載のメッセージ変換方法。
【請求項２４】
前記メッセージの転送アドレスを、予め設定された転送先のアドレスに変換することを特徴とする請求項２０から請求項２３のいずれか記載のメッセージ変換方法。
【発明の詳細な説明】
【０００１】
【発明の属する技術分野】
本発明はメッセージ送受信システム及びそれに用いるメッセージ変換方法に関し、特に電子メール及びインスタントメッセージの送受信が可能なメッセージ送受信システムに関する。
【０００２】
【従来の技術】
現在、電子メールは誰でも手軽に使える通信手段として広く浸透している。従来、この電子メールの転送システムにおいては、ユーザが自分でインタネットを介してＷｅｂブラウザ上でメール転送機能の設定を行い、電子メールの転送先の指定、電子メールの転送が行われる時間帯の指定、携帯端末の電子メールアドレスの指定等が行えるようになっている（例えば、特許文献１参照）。
【０００３】
この電子メールとは別に、パーソナルコンピュータ（ＰＣ）の普及とともに、相手にすぐにメッセージを送ることができるインスタントメッセージも徐々に広まりつつある。
【０００４】
【特許文献１】
特開２００２−６４５３１号公報（第５，６頁、図４）
【０００５】
【発明が解決しようとする課題】
上述した従来の通信システムでは、電子メール及びインスタントメッセージのどちらも手軽に利用可能であるが、いざ送信しようとした場合、どちらを使ってメッセージを送れば、相手にすぐに見てもらえるのかが分からない状況もある。
【０００６】
その場合、電子メール及びインスタントメッセージの両方で、メッセージを送ろうとするとかなりわずらわしく、受信する方としても同じメッセージを２つ受取ることになるので、必要の無い無駄なデータが増えるばかりである。
【０００７】
そこで、本発明の目的は上記の問題点を解消し、受信者側の設定に応じて電子メールとインスタントメッセージとのいずれかをより早く確実に受取ることができるメッセージ送受信システム及びそれに用いるメッセージ変換方法を提供することにある。
【０００８】
【課題を解決するための手段】
本発明によるメッセージ送受信システムは、少なくとも電子メールと、相手に対してメッセージをすぐに送信可能なインスタントメッセージとを用いてメッセージの送受信を行うメッセージ送受信システムであって、あるユーザに送られたインスタントメッセージを前記電子メールに変換しかつ当該電子メールを指定したメールアドレスの宛先に送信する第１の変換手段を備えている。
【０００９】
本発明による他のメッセージ送受信システムは、少なくとも電子メールと、相手に対してメッセージをすぐに送信可能なインスタントメッセージとを用いてメッセージの送受信を行うメッセージ送受信システムであって、あるユーザに送られた電子メールを前記インスタントメッセージに変換しかつ当該インスタントメッセージを指定したインスタントメッセージのアドレスに送信する変換手段を備えている。
【００１０】
本発明によるメッセージ変換方法は、少なくとも電子メールと、相手に対してメッセージをすぐに送信可能なインスタントメッセージとを用いてメッセージの送受信を行うメッセージ送受信システムのメッセージ変換方法であって、あるユーザに送られたインスタントメッセージを前記電子メールに変換しかつ当該電子メールを指定したメールアドレスの宛先に送信する第１のステップを備えている。
【００１１】
本発明による他のメッセージ変換方法は、少なくとも電子メールと、相手に対してメッセージをすぐに送信可能なインスタントメッセージとを用いてメッセージの送受信を行うメッセージ送受信システムのメッセージ変換方法であって、あるユーザに送られた電子メールを前記インスタントメッセージに変換しかつ当該インスタントメッセージを指定したインスタントメッセージのアドレスに送信するステップを備えている。
【００１２】
すなわち、本発明のメッセージ送受信システムは、自分宛に送られてくるインスタントメッセージの転送条件として、予め発信者や送信時間帯あるいは位置情報（プレゼンス情報）等を設定しておくことによって、別の転送先へ送ったり、インスタントメッセージを電子メールに変換して転送させたりすることが可能なシステムを提供するものである。ここで、インスタントメッセージとは、互いにインタネットやＬＡＮ（Ｌｏｃａｌ  Ａｒｅａ  Ｎｅｔｗｏｒｋ）に接続されたパーソナルコンピュータ同士が、画面上で直接メッセージをやり取りすることが可能となるソフトウェアである。
【００１３】
より具体的に説明すると、本発明のメッセージ送受信システムでは、データ処理装置において、Ｗｅｂによる入力装置からＷｅｂ及びユーザ情報管理手段を通してユーザ毎にインスタントメッセージの転送条件が設定され、フィルタ情報保存手段に保存される。
【００１４】
インスタントメッセージはＳＩＰ（Ｓｅｓｓｉｏｎ  Ｉｎｉｔｉａｔｉｏｎ  Ｐｒｏｔｏｃｏｌ）サーバ装置からデータ処理装置に転送されてくる。それをインスタントメッセージ転送手段で受信し、インスタントメッセージのＴｏヘッダをキーに上記のフィルタ情報保存手段にアクセスし、フィルタ情報を取得する。このフィルタ情報によって、インスタントメッセージ転送手段は転送条件に合致しているかどうかの判断を行い、もし転送条件に合えば、メッセージ変換装置に転送する。インスタントメッセージ転送手段は変換条件に合わなければ、そのままＳＩＰサーバ装置に送り戻し、通常のルートで送信先へ転送させる。
【００１５】
ユーザが個別にＷｅｂから設定するフィルタ情報はフィルタ条件を設定するフィルタ条件設定部分と、それに対しての動作を設定する動作設定部分とに、大きく２つに分かれている。フィルタ条件設定部分では送信元であるＦｒｏｍヘッダに含まれる文字列、あるいは送信された時間帯、ユーザのプレゼンス情報といった条件を設定することが可能である。動作設定部分ではインスタントメッセージ、あるいは電子メールの転送先の設定等を行う。
【００１６】
通常、インスタントメッセージのヘッダに書かれている「Ｔｏ」には送信先アドレスが、「Ｆｒｏｍ」には送信元アドレスが記されている。インスタントメッセージから電子メールに変換させる際にはこのアドレス形式も変わってしまうため、アドレスを付け替えなければならない。したがって、電子メールアドレスとインスタントメッセージのアドレスとをマッピングさせるために、メッセージ変換装置に含まれるＳＩＰ−Ｍａｉｌ変換手段がユーザのアドレス情報をフィルタ情報保存手段に対して問い合わせを行う。メッセージ変換装置はそれによって教えられたアドレス情報を基に、インスタントメッセージを電子メールに変換し、メールサーバ装置へ送信を行う。
【００１７】
上記のように、本発明のメッセージ送受信システムでは、受信側の電子メールとインスタントメッセージとのどちらを使うかの設定に応じてメッセージの転送を行うことによって、受信側がより早く確実に相手からの情報を受取ることが可能となる。
【００１８】
あるいは、もし特定の人からのメッセージを転送して欲しくない場合には、転送させないといった条件も予め設定することで、当該メッセージの転送を規制することも可能となる。通常、このような設定条件は人によってそれぞれ違うので、ユーザが個別にかつ自由に設定可能とする必要があり、上記のデータ処理装置を用いることで、上記のような設定が可能となる。
【００１９】
【発明の実施の形態】
次に、本発明の実施例について図面を参照して説明する。図１は本発明の一実施例によるメッセージ送受信システムの構成を示すブロック図である。図１において、本発明の一実施例によるメッセージ送受信システムはデータ処理装置１と、メッセージ変換装置２と、メールサーバ装置３と、ＳＩＰ（Ｓｅｓｓｉｏｎ  Ｉｎｉｔｉａｔｉｏｎ  Ｐｒｏｔｏｃｏｌ）サーバ装置４と、Ｗｅｂによる入力装置５とから構成されている。
【００２０】
データ処理装置１はＳＩＰサーバ装置４から送られてきたインスタントメッセージ各々をユーザが設定した転送条件に基づいてどこに転送させるか判断して転送させるインスタントメッセージ転送手段１１と、Ｗｅｂによる入力装置５によって設定されたフィルタ情報を保持するためのデータベースであるフィルタ情報保存手段１２と、図示せぬＷｅｂサーバやユーザ登録並びにログイン機能といったものを管理するためのＷｅｂ及びユーザ情報管理手段１３とから構成されている。
【００２１】
メッセージ変換装置２は実際にインスタントメッセージと電子メールとの変換を行う装置であり、インスタントメッセージから電子メールへの変換を行うＳＩＰ−Ｍａｉｌ変換手段２１と、電子メールからインスタントメッセージへの変換を行うＭａｉｌ−ＳＩＰ変換部手段２２とから構成されている。
【００２２】
図２は本発明の一実施例によるインスタントメッセージのフィルタ情報設定画面を示す図である。これら図１及び図２を参照して本発明の一実施例によるメッセージ送受信システムの動作について説明する。
【００２３】
本発明の一実施例によるメッセージ送受信システムでは、データ処理装置１において、Ｗｅｂによる入力装置４からＷｅｂ及びユーザ情報管理手段１３を通してユーザ毎にインスタントメッセージの転送条件が設定され、フィルタ情報保存手段１２に保存される。
【００２４】
インスタントメッセージはＳＩＰサーバ装置４からデータ処理装置１に転送されてくる。データ処理装置１ではそのインスタントメッセージをインスタントメッセージ転送手段１１で受信し、インスタントメッセージのＴｏヘッダをキーにフィルタ情報保存手段１２にアクセスし、フィルタ情報を取得する。
【００２５】
このフィルタ情報によって、インスタントメッセージ転送手段１１は転送条件に合致しているかどうかの判断を行い、もし転送条件に合えば、メッセージ変換装置２に転送する。インスタントメッセージ転送手段１１は変換条件に合わなければ、そのままＳＩＰサーバ装置４に送り戻し、通常のルートで送信先へ転送させる。
【００２６】
ユーザが個別にＷｅｂから設定するフィルタ情報は、図２に示すように、フィルタ条件を設定するフィルタ条件設定部分Ａ１と、それに対しての動作を設定する動作設定部分Ａ２とに、大きく２つに分かれている。フィルタ条件設定部分Ａ１では送信元であるＦｒｏｍヘッダに含まれる文字列、あるいは送信された時間帯、ユーザのプレゼンス情報といった条件を設定することが可能である。動作設定部分Ａ２ではインスタントメッセージ、あるいは電子メールの転送先の設定等が行われる。
【００２７】
通常、インスタントメッセージのヘッダに書かれている「Ｔｏ」には送信先アドレスが、「Ｆｒｏｍ」には送信元アドレスが記されている。インスタントメッセージから電子メールに変換させる際にはこのアドレス形式も変わってしまうため、アドレスを付け替えなければならない。
【００２８】
したがって、電子メールアドレスとインスタントメッセージのアドレスとをマッピングさせるために、メッセージ変換装置２に含まれるＳＩＰ−Ｍａｉｌ変換手段２１がユーザのアドレス情報をフィルタ情報保存手段１２に対して問い合わせを行う。メッセージ変換装置２はそれによって教えられたアドレス情報を基に、インスタントメッセージを電子メールに変換してメールサーバ装置３へ送信を行う。
【００２９】
図３は本発明の一実施例によるメッセージ送受信システムの具体例を示すブロック図である。図３においては、データ処理装置１とメッセージ変換装置２とがそれ以外のネットワーク機器と実際にどのようにネットワークの中で接続されているのかを示している。
【００３０】
ＳＩＰサーバ装置４はインスタントメッセージが利用しているＳＩＰプロトコルを使った通信パケットのプロキシ制御や登録を行っており、インスタントメッセージ（ＩＭ）を使うユーザ端末７が接続されている。メール（Ｍａｉｌ）サーバ装置３は電子メールの転送やユーザ毎のメールボックス等の管理を行っており、電子メールを使うユーザ端末６が接続されている。
【００３１】
図４は図１のデータ処理装置１の内部処理を示すフローチャートであり、図５は図１のメッセージ変換装置２の内部処理を示すフローチャートである。図６は図１のメッセージ変換装置２にて実際のメッセージがどのように変換に使用されるのかを示す図であり、図７は図１のフィルタ情報保存手段１２に保存される情報の一例を示す図である。これら図１〜図７を参照して本発明の一実施例によるメッセージ送受信システムの動作について説明する。図４にはデータ処理装置１にインスタントメッセージが送られてきた場合の処理を示している。
【００３２】
まず始めに、データ処理装置１内のインスタントメッセージ転送手段１１はＳＩＰサーバ装置４から転送されてきたインスタントメッセージを受信すると（図４ステップＳ１）、Ｔｏヘッダに書かれている宛先からフィルタ情報保存手段１２を検索し（図４ステップＳ２）、その人が設定している転送条件を取得する。
【００３３】
次に、インスタントメッセージ転送手段１１は受信したインスタントメッセージの転送条件が満たされるかどうかの判断を行い（図４ステップＳ３）、もしも条件を満たさなければ、そのメッセージをＳＩＰサーバ装置４に送り戻す（図４ステップＳ１０）。
【００３４】
インスタントメッセージ転送手段１１は条件を満たすと、「破棄する」という動作が設定されているのであれば（図４ステップＳ４）、そのメッセージを破棄する（図４ステップＳ５）。インスタントメッセージ転送手段１１は「破棄する」という動作が設定されていない場合、「ＩＭに転送する」という動作が設定されていれば（図４ステップＳ６）、その転送先の書かれているＳＩＰ−ＵＲＩ（Ｕｎｉｆｏｒｍ  Ｒｅｓｏｕｒｃｅ  Ｉｄｅｎｔｉｆｉｅｒ）アドレスに対してインスタントメッセージを送信する（図４ステップＳ７）。
【００３５】
さらに、インスタントメッセージ転送手段１１は「Ｍａｉｌに転送する」という動作が設定されていれば（図４ステップＳ８）、メッセージ変換装置２に対してメッセージを転送し（図４ステップＳ９）、設定されていなければ、ＳＩＰサーバ装置４に対してメッセージを送り戻す（図４ステップＳ１０）。
【００３６】
ＳＩＰサーバ装置４に送り戻されたインスタントメッセージは元の転送ルートで相手に送信されることになる。但し、この時、インスタントメッセージのＶｉａヘッダにデータ処理装置１のアドレスが追加される。これはＳＩＰのプロトコルで規定されている処理で、相手からの応答に対して要求と同じ経路で転送させるためのものである。
【００３７】
図５にはメッセージ変換装置２における内部処理を示している。始めに、メッセージ変換装置２はデータ処理装置１から転送されたインスタントメッセージを受信すると（図５ステップＳ１１）、インスタントメッセージから電子メールへの変換を行う（図５ステップＳ１２）。このとき、メッセージ変換装置２は前もって通知されているアドレス情報によって、送信先のインスタントメッセージのアドレスから電子メールのアドレスにＴｏヘッダ並びにＦｒｏｍヘッダを付け替え、変換された電子メールを送信する（図５ステップＳ１３）。
【００３８】
メッセージ変換装置２にて実際のメッセージがどのように変換に使用されるのかを図６に示す。これはインスタントメッセージから電子メールに変換、もしくはその逆の変換が行われた時の実際のメッセージである。
【００３９】
この場合、メッセージ変換装置２ではインスタントメッセージが持っているＴｏヘッダとＦｒｏｍヘッダとを、電子メールのＴｏヘッダとＦｒｏｍヘッダとに付け替える際に、アドレス形式をＳＩＰ−ＵＲＩ形式からメールアドレス形式に変換しなくてはならないが、フィルタ情報保存手段１２に問い合わせることで必要となるアドレス情報をもらうことができる。
【００４０】
フィルタ情報保存手段１２に保存される情報には、例えば図７に示すように、ユーザＩＤ（「Ｔａｒｏ」，「Ｈａｎａｋｏ」，「Ｔｅｒｕ」等）、ＳＩＲ−ＵＲＩ（「ｔａｒｏ＠ｓｉｐ．ｏｒ．ｊｐ」，「ｈａｎａｋｏ＠ｓｉｐ．ｏｒ．ｊｐ」，「ｔｅｒｕ＠ｓｉｐ．ｏｒ．ｊｐ」等）、ｅ−ｍａｉｌ  ａｄｄｒｅｓｓ（「ｔａｒｏ＠ｍａｉｌ．ｏｒ．ｊｐ」，「ｈａｎａｋｏ＠ｍａｉｌ．ｏｒ．ｊｐ」，「ｔｅｒｕ＠ｓｉｐ．ｏｒ．ｊｐ」等）、条件（Ｉｆ）、動作（Ｔｈｅｎ）がある。
【００４１】
ここで、条件（Ｉｆ）、動作（Ｔｈｅｎ）としては、例えばユーザＩＤ「Ｔａｒｏ」の場合、条件（Ｉｆ）として「時間帯指定」（２１：００〜翌朝８：００に受信）、動作（Ｔｈｅｎ）として「次のＩＭアドレスに転送する」（ｔａｒｏ２＠ｓｉｐ．ｏｒ．ｊｐ）及び「次のｅ−ｍａｉｌアドレスに転送する」（ｔａｒｏ＠ｍａｉｌ．ｏｒ．ｊｐ）がある。
【００４２】
また、条件（Ｉｆ）、動作（Ｔｈｅｎ）としては、例えばユーザＩＤ「Ｈａｎａｋｏ」の場合、条件（Ｉｆ）として「Ｆｒｏｍヘッダが次を含む」（“ｔａｒｏ”，“ｈａｎａｋｏ”）、動作（Ｔｈｅｎ）として「次のｅ−ｍａｉｌアドレスに転送する」（ｈａｎａｋｏ＠ｍａｉｌ．ｏｒ．ｊｐ）がある。
【００４３】
さらに、条件（Ｉｆ）、動作（Ｔｈｅｎ）としては、例えばユーザＩＤ「Ｔｅｒｕ」の場合、条件（Ｉｆ）として「Ｆｒｏｍヘッダが次を含む」（“ｂｌａｃｋｌｉｓｔ”）及び「Ｓｕｂｊｅｃｔヘッダが次を含む」（“Ｍｒ．ｂｌａｃｋｌｉｓｔ”）、動作（Ｔｈｅｎ）として「破棄する」がある。
【００４４】
このように、ユーザのフィルタ情報にはインスタントメッセージのアドレスであるＳＩＰ−ＵＲＩや電子メールアドレス、そして条件並びに動作といった情報を持つ。
【００４５】
図７において、仮に「Ｔａｒｏ」が「Ｈａｎａｋｏ」に対してインスタントメッセージを送ったとすると、「Ｔａｒｏ」が出したインスタントメッセージのＴｏヘッダには「Ｈａｎａｋｏ＠ｓｉｐ．ｏｒ．ｊｐ」というアドレスが付けられている。
【００４６】
インスタントメッセージ転送手段１１はフィルタ情報保存手段１２からこのアドレスを受取ると、「Ｈａｎａｋｏ」というユーザの設定を検索し、それを基に条件（Ｉｆ）の判断を行う。その結果、インスタントメッセージ転送手段１１はメッセージヘッダの中のＦｒｏｍヘッダに“ｔａｒｏ”という文字列が含まれているため、動作（Ｔｈｅｎ）に書かれている「ｅ−ｍａｉｌへの転送」を行う。
【００４７】
したがって、インスタントメッセージ転送手段１１はインスタントメッセージをメッセージ変換装置２のＳＩＰ−Ｍａｉｌ変換手段２１に転送する。ここでは電子メールへ変換させるため、Ｔｏヘッダを「Ｈａｎａｋｏ＠ｅ−ｍａｉｌ．ｏｒ．ｊｐ」のアドレスに変更したり、それ以外のヘッダの変更を行い、最終的に「Ｈａｎａｋｏ」のメールボックスがあるメールサーバ装置３に送ることになる。
【００４８】
次に、電子メールをインスタントメッセージに変換する場合を考える。これもメッセージ変換装置２のＭａｉｌ−ＳＩＰ変換手段２２にて電子メールからインスタントメッセージへの変換が行われるが、先ほどのような変換のための条件の判断といった処理は行っていない。それは特定のメッセージを変換させるかどうかについては、メールサーバ装置３で設定することが可能となるからである。
【００４９】
つまり、近年、メールサーバ装置３は高機能なフィルタ条件をユーザで設定できるようになり、これによって特定のメールを指定したアドレスに転送することが可能となるからである。これを利用することで、あるユーザが、特定の人からのメッセージをインスタントメッセージに変換したいと思えば、メールサーバ装置３にてその人からのメッセージをメッセージ変換装置２に転送するようにさえしておけばよい。
【００５０】
あとは、その転送先にあるＭａｉｌ−ＳＩＰ変換部２２によって電子メールがインスタントメッセージに変換され、ＳＩＰサーバ装置４を経由して自分宛のＰＣ（パーソナルコンピュータ）に転送することができる。但し、あくまでも自分のメールサーバ装置３でフィルタ条件の設定ができるという前提条件の下での機能である。
【００５１】
このように、本実施例では、別々に存在しているｅ−ｍａｉｌのサービスとインスタントメッセージのサービスとを結びつけ、両者でスムーズに通信を行うことが可能となる。これによって、ｅ−ｍａｉｌのサービスとインスタントメッセージのサービスとの両者での情報交換を活発にすることができる。
【００５２】
また、本実施例では、インスタントメッセージと電子メールとの変換条件を専用のサーバを使ってユーザが自由に変更することができるので、指定した場所へより早く確実にメッセージを届けることができる。
【００５３】
さらに、本実施例では、特定のユーザから送られてくる迷惑なメッセージを回避することも可能である。さらにまた、本実施例では、ユーザのフィルタ情報がデータベース（フィルタ情報保存手段１２）によって一括管理されるので、インターネットでＷｅｂが使える環境であれば、どこからでも変更を行うことが可能となる。但し、セキュリティの観点からはユーザＩＤとパスワードとによって、本人確認の問い合わせを行うことが必要なため、Ｗｅｂ及びユーザ情報管理手段１３がログイン機能を持っている。
【００５４】
尚、本実施例では、ユーザがＷｅｂで行う転送条件の設定に関して、例として図２の中でＦｒｏｍアドレスに含まれる文字列、時間帯指定、プレゼンス状態等を挙げたが、それ以外も複数の転送条件を組み合わせることで、さらに高度な転送条件を設定することが可能である。また、本実施例では、転送させるアドレスの指定も複数個設定することが可能である。
【００５５】
さらに、本実施例では、インスタントメッセージ転送手段１１がＴｏヘッダに書かれているアドレスからその人のユーザ設定情報を検索し、そのフィルタ情報に書かれているアドレスにへ転送させる仕組みを説明しているが、Ｆｒｏｍヘッダに書かれているアドレスやその他のパラメータからユーザ設定情報を検索させることも可能である。これらはＷｅｂの画面にて選択することができる。
【００５６】
さらにまた、本実施例では、実施させるサービスとして、上述した転送以外にも、ある特定のメッセージを自動的に送ったり、他のアプリケーションと組み合わせたりして、様々なサービスを行うことも可能である。
【００５７】
本実施例では、上記のように、データ処理装置１とメッセージ変換装置２とによる変換可能なサービスとして、電子メールとインスタントメッセージとについて述べたが、それ以外の通信媒体であったとしても、上記と同じようなやり方でメッセージ変換が可能である。もちろん、この時、メッセージ変換装置２はその変換させようとするメッセージフォーマットに対応させることが必要である。
【００５８】
図８は本発明の他の実施例によるメッセージ送受信システムの構成を示すブロック図である。図８において、本発明の他の実施例によるメッセージ送受信システムは位置情報取得装置（プレゼンスサーバ）８を付加した以外は図１に示す本発明の一実施例によるメッセージ送受信システムと同様の構成となっており、同一構成要素には同一符号を付してある。
【００５９】
位置情報取得装置８は位置情報（プレゼンス情報）を取得し、その位置情報（プレゼンス情報）をインスタントメッセージ転送手段１１に送るので、上述した転送条件の中に新たにプレゼンス情報を組み込むことが可能となる。プレゼンス情報とは、一般的に、インスタントメッセージと併せて使われるサービスの一つで、オンライン、オフラインといった相手の状態を示すものであり、ユーザが手動で設定することによって、会議中、食事中といった表示を行うことも可能である。
【００６０】
この個人のプレゼンス情報は位置情報取得装置８に問い合わせることで知ることができるので、自分のプレゼンス情報が位置情報取得装置８によって管理されているのであれば、この情報をデータ処理装置１から取得し、転送条件に取り込んだサービスを行うことができる。例えば、図２に示すように、Ｗｅｂ画面の中で条件（Ｉｆ）としてプレゼンスの状態を設定することが可能である。
【００６１】
これによって、データ処理装置１にインスタントメッセージが転送されてきた際に、Ｔｏヘッダに書かれた宛先のユーザのプレゼンス情報をインスタントメッセージ転送手段１１が位置情報取得装置８に対して問い合わせることで、オンライン、オフライン、会議中といったプレゼンス情報が取得される。これによって、例えば「プレゼンスがオフラインの場合、ある特定の電子メールのアドレスへ転送させる」といったような使い方をすることができる。
【００６２】
【発明の効果】
以上説明したように本発明は、上記のような構成及び動作とすることで、受信者側の設定に応じて電子メールとインスタントメッセージとのいずれかをより早く確実に受取ることができるという効果が得られる。
【図面の簡単な説明】
【図１】本発明の一実施例によるメッセージ送受信システムの構成を示すブロック図である。
【図２】本発明の一実施例によるインスタントメッセージのフィルタ情報設定画面を示す図である。
【図３】本発明の一実施例によるメッセージ送受信システムの具体例を示すブロック図である。
【図４】図１のデータ処理装置の内部処理を示すフローチャートである。
【図５】図１のメッセージ変換装置の内部処理を示すフローチャートである。
【図６】図１のメッセージ変換装置にて実際のメッセージがどのように変換に使用されるのかを示す図である。
【図７】図１のフィルタ情報保存手段に保存される情報の一例を示す図である。
【図８】本発明の他の実施例によるメッセージ送受信システムの構成を示すブロック図である。
【符号の説明】
１  データ処理装置
２  メッセージ変換装置
３  メールサーバ装置
４  ＳＩＰサーバ装置
５  Ｗｅｂによる入力装置
６  ユーザ端末（Ｍａｉｌ）
７  ユーザ端末（ＩＭ）
８  位置情報取得装置
１１  インスタントメッセージ転送手段
１２  フィルタ情報保存手段
１３  Ｗｅｂ及びユーザ情報管理手段
２１  ＳＩＰ−Ｍａｉｌ変換手段
２２  Ｍａｉｌ−ＳＩＰ変換部手段
Ａ１  フィルタ条件設定部分
Ａ２  動作設定部分
【図１】
2004241946.tif 000003
【図２】
2004241946.tif 000004
【図３】
2004241946.tif 000005
【図４】
2004241946.tif 000006
【図５】
2004241946.tif 000007
【図６】
2004241946.tif 000008
【図７】
2004241946.tif 000009
【図８】
2004241946.tif 000010